(57)【要約】【課題】ユーザが望む文書の本体を文書サーバから簡単に取り出せるようにし、さらに取り出した文書の課金を自動的に行えるようにする。【解決手段】文書を受信すると、新規に文書ＩＤを発行し、文書に文書ＩＤを付与したものをデータベース部に登録すると同時に、文書ＩＤが付与された文書の要約情報を送信してきた外部機器に返信する登録部を備えている文書サーバ１０と、文書サーバ１０とネットワーク接続する接続部３１、登録ユーザから文書そのもの、もしくは文書の所在の入力を受け取る入力部３２、および、登録ユーザが指定した文書を文書サーバに送信し、文書サーバより返信された、文書ＩＤが付与された文書の要約情報を受信する制御部３３とを備えている文書登録装置３０と、文書サーバ１０より返信された文書を印刷し課金を行う印刷装置とによって文書配送登録システムを構成する。【選択図】図５
2005115967.tif 000002
【特許請求の範囲】
【請求項１】
文書ＩＤが付与された文書を記憶するデータベース部、外部機器とネットワーク接続する接続部、外部機器より受信した文書注文用の画像データから文書ＩＤを抽出し、この文書ＩＤに対応する文書をデータベース部から取得して外部機器に返信する制御部、および、外部機器より文書を受信すると、新規に文書ＩＤを発行し、文書に文書ＩＤを付与したものをデータベース部に登録すると同時に、文書ＩＤが付与された文書の要約情報を送信してきた外部機器に返信する登録部を備えている文書サーバと、前記文書サーバとネットワーク接続する接続部、文書サーバのデータベース部に記憶されている所定文書に対して予め取得した注文用の画像データであって、その文書の文書ＩＤが付与された注文用の画像データとしての文書の要約情報を入力するための画像入力部、入力された画像データを文書サーバに送信する制御部、文書サーバより返信された文書を紙に出力する印刷部、および、印刷時に印刷した文書に応じて課金を行う課金部を備えている印刷装置とを有する文書配送システムと、
前記文書サーバとネットワーク接続する接続部、登録ユーザから文書そのもの、もしくは文書の所在の入力を受け取る入力部、および、登録ユーザが指定した文書を文書サーバに送信し、文書サーバより返信された、文書ＩＤが付与された文書の要約情報を受信する制御部を備えている文書登録装置を有する文書登録システムと、
を有することを特徴とする文書配送登録システム。
【請求項２】
文書ＩＤが付与された文書を記憶するデータベース部、外部機器とネットワーク接続する接続部、外部機器より受信した文書ＩＤに対応する文書をデータベース部から取得して外部機器に返信する制御部、および、外部機器より文書を受信すると、新規に文書ＩＤを発行し、文書に文書ＩＤを付与したものをデータベース部に登録すると同時に、文書ＩＤが付与された文書の要約情報を送信してきた外部機器に返信する登録部を備えている文書サーバと、前記文書サーバとネットワーク接続する接続部、所定文書に対して予め取得した注文用の画像データであって、その文書の文書ＩＤが付与された注文用の画像データとしての文書の要約情報を入力するための画像入力部、入力された画像データから文書ＩＤを抽出して文書サーバに送信する制御部、文書サーバより返信された文書を紙に出力する印刷部、および、印刷時に印刷した文書に応じて課金を行う課金部を備えている印刷装置とを有する文書配送システムと、
前記文書サーバとネットワーク接続する接続部、登録ユーザから文書そのもの、もしくは文書の所在の入力を受け取る入力部、および、登録ユーザが指定した文書を文書サーバに送信し、文書サーバより返信された、文書ＩＤが付与された文書の要約情報を受信する制御部を備えている文書登録装置を有する文書登録システムと、
を有することを特徴とする文書配送登録システム。
【請求項３】
請求項１または２に記載の文書配送登録システムに用いられる文書配送システムであって、課金の額が、印刷した紙の枚数に比例した額であることを特徴とする文書配送システム。
【請求項４】
課金の額は、文書ごとに定められており、
文書サーバのデータベース部は、文書ＩＤと課金の額との両方が付与された文書を管理する機能を備え、
文書サーバの制御部は、外部機器に返信する文書に課金の額が付与されている場合に、課金の額も同時に返信する機能を備え、
印刷装置の課金部は、文書サーバから返信された課金の額に相当する金額を課金することを特徴とする請求項３に記載の文書配送システム。
【請求項５】
印刷装置は、印刷した文書に関する情報を印刷完了文書情報として記憶する印刷完了文書記憶部を備えていることを特徴とする請求項３または４に記載の文書配送システム。
【請求項６】
印刷装置の制御部は、印刷した文書に関する情報を印刷完了文書情報として文書サーバに送信する機能を備え、
文書サーバの制御部は、印刷完了文書情報を受信する機能を備え、
文書サーバは、受信した印刷完了文書情報を記憶する印刷完了文書記憶部を備えていることを特徴とする請求項３〜５のいずれかに記載の文書配送システム。
【請求項７】
印刷完了文書情報は、印刷した文書の文書ＩＤを含むことを特徴とする請求項５または６に記載の文書配送システム。
【請求項８】
印刷完了文書情報は、その文書を印刷した印刷装置の識別情報を含むことを特徴とする請求項５〜７のいずれかに記載の文書配送システム。
【請求項９】
印刷完了文書情報は、その文書を印刷した日時の情報を含むことを特徴とする請求項５〜８のいずれかに記載の文書配送システム。
【請求項１０】
請求項６記載の文書搬送システムにおいて、課金の額は、文書ごとに定められており、
文書サーバのデータベース部は、文書ＩＤと課金の額と文書の作成者情報が付与された文書を管理する機能を備え、
文書サーバの制御部は、外部機器に返信する文書に課金の額が付与されている場合に、課金の額も同時に返信する機能を備え、
印刷装置の課金部は、文書サーバから返信された課金の額に相当する金額を課金するように構成されているとともに、
印刷完了文書情報は、印刷した文書の文書ＩＤを含んでおり、
文書サーバの印刷完了文書記憶部は、印刷した文書の文書ＩＤから、対応する作成者情報と課金の額を検索し、文書サーバの制御部は、課金の額の全部または一部を作成者情報に示された作成者に支払う機能を備えていることを特徴とする文書配送システム。
【請求項１１】
印刷装置の課金部は、文書サーバから返信された課金の額に相当する金額と、印刷した紙の枚数に応じた金額の合計を課金することを特徴とする請求項１０に記載の文書配送システム。
【請求項１２】
請求項１〜１１のいずれかに記載の文書サーバと、
前記文書サーバとネットワーク接続する接続部、登録ユーザから文書そのもの、もしくは文書の所在の入力を受け取る入力部、および、登録ユーザが指定した文書を文書サーバに送信し、文書サーバより返信された、文書ＩＤが付与された文書の要約情報を受信する制御部を備えている文書登録装置と、を有し、
前記文書登録装置の入力部は、登録ユーザから課金の額と文書の作成者情報との入力を受け取る機能を備え、
文書サーバのデータベース部は、文書ＩＤと課金の額と文書の作成者情報とが付与された文書を管理する機能を備え、
文書サーバの登録部は、文書ＩＤを付与した文書をデータベースに登録する際に、課金の額と文書の作成者情報とを合わせて登録する機能を備えていることを特徴とする文書登録システム。
【請求項１３】
文書ＩＤが付与された文書の要約情報が、文書の先頭数ページの縮小画像情報と、文書ＩＤを画像データに変換したものとの合成画像データであることを特徴とする請求項１２に記載の文書登録システム。
【請求項１４】
文書ＩＤが付与された文書の要約情報が、文書の先頭数ページの縮小画像情報と、文書ＩＤを画像データに変換したものとを含む、Ｗｅｂクライアントにて閲覧可能なファイル群であることを特徴とする請求項１２に記載の文書登録システム。
【請求項１５】
文書ＩＤが付与された文書の要約情報が、文書の先頭数ページの縮小画像情報と、文書ＩＤを画像データに変換したものと、課金の額を画像データに変換したものとの合成画像であることを特徴とする請求項１２に記載の文書登録システム。
【請求項１６】
文書ＩＤが付与された文書の要約情報が、文書データの先頭数ページの縮小画像情報と、文書ＩＤを画像データに変換したものと、課金の額を画像データに変換したものとを含む、Ｗｅｂクライアントにて閲覧可能なファイル群であることを特徴とする請求項１２に記載の文書登録システム。
【請求項１７】
文書登録装置は、文書ＩＤが付与された文書の要約情報を印刷する印刷部を備え、文書登録装置の制御部は、文書サーバから文書ＩＤが付与された文書の要約情報を受信すると、印刷部にその内容を印刷させることを特徴とする請求項１２〜１６のいずれかに記載の文書登録システム。
【請求項１８】
請求項３〜１１のいずれかに記載の文書配送システムと、請求項１２〜１７のいずれかに記載の文書登録システムとを有することを特徴とする文書配送登録システム。
【発明の詳細な説明】
【技術分野】
【０００１】
本発明は、複数の文書を記憶・管理している文書サーバと、文書サーバにネットワークで接続されており、文書サーバから文書を受信し、その内容を印刷する印刷装置とを有する文書配送システム、および、前記文書サーバと、この文書サーバにネットワークで接続されており、文書サーバに文書を登録する文書登録装置とを有する文書登録システム、ならびに、文書配送登録システムに関する。
【背景技術】
【０００２】
従来より、電子化された文書を記憶・管理している文書サーバから目的の文書を簡単に取得する技術が発達してきている。例えば特許文献１には、文書の特定ページ目の画像と、文書の識別情報を画像データに変換したものとの合成画像を印刷出力し、それをファクシミリで文書サーバに送信することで、目的の文書を取得するシステムが開示されている（従来技術１）。
【０００３】
一方、特許文献２に見られるように、著作物からの複写の際に、著作物に付加された文書ＩＤを用いて、著作物の内容や価値に応じた適正な著作権料を計算して課する画像形成システムが存在する（従来技術２）。
【特許文献１】特開平１０−８４４３７号公報
【特許文献２】特開平７−１１０６４５号公報
【発明の開示】
【発明が解決しようとする課題】
【０００４】
今日、商品のカタログ、電子書籍、メールマガジン等、電子化された文書を配布する必要性が増大している。しかし、これらの文書をすべて一方的にユーザに配布するのは、時間的にもコスト的にも不利であり、ユーザにとっては迷惑でもある。
【０００５】
そこで、電子化された文書の内容を要約した文書をユーザに配布しておき、ユーザが望む場合に、いつでも文書の本体を取り出すことのできる仕組みが必要となる。
【０００６】
また、文書サーバ内に保存された文書を第三者に配布しようとした際に、通常は、文書サーバの運営費、ネットワークの使用料、印刷装置の稼動に係る費用、配布に係る著作権料等、さまざまな費用が発生する。
【０００７】
しかしながら、前記した従来技術１では、ネットワークを経由しての文書取得を考慮に入れておらず、また、課金についての考え方が盛り込まれていない等の理由により、上記のサービスを提供するには不向きである。
【０００８】
一方、従来技術２によれば、原稿そのものを複写するものであり、予めユーザに要約した文書を配布しておくという用途には向いていない。
【０００９】
本発明はそのような実情に鑑みてなされたもので、ユーザ（印刷ユーザ）が望む場合に、いつでも文書の本体を文書サーバから取り出すことができ、しかも、取り出した文書に応じて課金を自動的に行うことのできる文書配送システムの提供を目的とする。
【００１０】
また、ユーザ（登録ユーザ）が、文書サーバに文書を簡単に登録することができ、文書サーバから返信された文書ＩＤが付与された文書の要約情報を、文書注文用の内容として第三者（印刷ユーザ）に配布することのできる文書登録システムの提供と、これら文書配送システムおよび文書登録システムを有する文書配送登録システムの提供を目的とする。
【課題を解決するための手段】
【００１１】
本発明の文書配送登録システムは、文書ＩＤが付与された文書を記憶するデータベース部、外部機器とネットワーク接続する接続部、外部機器より受信した文書注文用の画像データから文書ＩＤを抽出し、この文書ＩＤに対応する文書をデータベース部から取得して外部機器に返信する制御部、および、外部機器より文書を受信すると、新規に文書ＩＤを発行し、文書に文書ＩＤを付与したものをデータベース部に登録すると同時に、文書ＩＤが付与された文書の要約情報を送信してきた外部機器に返信する登録部を備えている文書サーバと、前記文書サーバとネットワーク接続する接続部、文書サーバのデータベース部に記憶されている所定文書に対して予め取得した注文用の画像データであって、その文書の文書ＩＤが付与された注文用の画像データとしての文書の要約情報を入力するための画像入力部、入力された画像データを文書サーバに送信する制御部、文書サーバより返信された文書を紙に出力する印刷部、および、印刷時に印刷した文書に応じて課金を行う課金部を備えている印刷装置とを有する文書配送システムと、前記文書サーバとネットワーク接続する接続部、登録ユーザから文書そのもの、もしくは文書の所在の入力を受け取る入力部、および、登録ユーザが指定した文書を文書サーバに送信し、文書サーバより返信された、文書ＩＤが付与された文書の要約情報を受信する制御部を備えている文書登録装置を有する文書登録システムと、を有することを特徴としている。
【００１２】
本発明の文書配送登録システムは、文書ＩＤが付与された文書を記憶するデータベース部、外部機器とネットワーク接続する接続部、外部機器より受信した文書ＩＤに対応する文書をデータベース部から取得して外部機器に返信する制御部、および、外部機器より文書を受信すると、新規に文書ＩＤを発行し、文書に文書ＩＤを付与したものをデータベース部に登録すると同時に、文書ＩＤが付与された文書の要約情報を送信してきた外部機器に返信する登録部を備えている文書サーバと、前記文書サーバとネットワーク接続する接続部、所定文書に対して予め取得した注文用の画像データであって、その文書の文書ＩＤが付与された注文用の画像データとしての文書の要約情報を入力するための画像入力部、入力された画像データから文書ＩＤを抽出して文書サーバに送信する制御部、文書サーバより返信された文書を紙に出力する印刷部、および、印刷時に印刷した文書に応じて課金を行う課金部を備えている印刷装置とを有する文書配送システムと、前記文書サーバとネットワーク接続する接続部、登録ユーザから文書そのもの、もしくは文書の所在の入力を受け取る入力部、および、登録ユーザが指定した文書を文書サーバに送信し、文書サーバより返信された、文書ＩＤが付与された文書の要約情報を受信する制御部を備えている文書登録装置を有する文書登録システムと、を有することを特徴としている。
【００１３】
本発明の文書配送システムは、文書ＩＤが付与された文書を記憶するデータベース部、外部機器とネットワーク接続する接続部、および、外部機器より受信した文書注文用の画像データから文書ＩＤを抽出し、この文書ＩＤに対応する文書をデータベース部から取得して外部機器に返信する制御部を備えている文書サーバと、前記文書サーバとネットワーク接続する接続部、文書サーバのデータベース部に記憶されている所定文書に対して予め取得した注文用の画像データ（例えば印刷出力物や画像ファイル）であって、その文書の文書ＩＤが付与された画像データを入力するための画像入力部、入力された画像データを文書サーバに送信する制御部、文書サーバより返信された文書を紙に出力する印刷部、および、印刷時に印刷した文書に応じて課金を行う課金部を備えている印刷装置とを有することによって特徴づけられる。
【００１４】
この発明の文書配送システムにおいて、印刷装置を例えば全国のコンビニエンスストア等に設置しておけば、印刷ユーザ（印刷装置を用いるという点で、印刷ユーザと呼ぶ）は、予め取得した文書ＩＤが付与された文書注文用の画像データの印刷出力物や画像ファイルを持ち歩き、印刷装置に画像データを入力して文書サーバに送信するだけで、目的の文書を簡単に取得することができる。そして、印刷装置により印刷時に印刷ユーザに対して文書に応じた課金を行うことで、システムの運用経費を回収することができる。
【００１５】
本発明の文書配送システムは、文書ＩＤが付与された文書を記憶するデータベース部、外部機器とネットワーク接続する接続部、および、外部機器より受信した文書ＩＤに対応する文書をデータベース部から取得して外部機器に返信する制御部を備えている文書サーバと、前記文書サーバとネットワーク接続する接続部、所定文書に対して予め取得した注文用の画像データであって、その文書の文書ＩＤが付与された画像データ（例えば印刷出力物や画像ファイル）を入力するための画像入力部、入力された画像データから文書ＩＤを抽出して文書サーバに送信する制御部、文書サーバより返信された文書を紙に出力する印刷部、および、印刷時に印刷した文書に応じて課金を行う課金部を備えている印刷装置とを有していることによって特徴づけられる。
【００１６】
この発明の文書配送システムにおいて、印刷装置を例えば全国のコンビニエンスストア等に設置しておけば、印刷ユーザは、予め取得した文書ＩＤが付与され画像データの印刷出力物や画像ファイルを持ち歩き、印刷装置に文書ＩＤを入力して文書サーバに送信するだけで、目的の文書を簡単に取得することができる。そして、印刷装置により印刷時に印刷ユーザに対して文書に応じた課金を行うことで、システムの運用経費を回収することができる。さらに、印刷装置から文書サーバへ送信するデータが文書ＩＤのみであるので、データ量を少なくすることができる。
【００１７】
本発明の文書配送システムにおいて、課金の額を、印刷した紙の枚数に比例した額とすれば、文書配送システムを利用する印刷ユーザに最も分かりやすい課金方法となるので、新規の印刷ユーザに受け入れられやすい。
【００１８】
本発明の文書配送システムにおいて、課金の額が文書ごとに定められており、文書サーバのデータベース部が、文書ＩＤと課金の額との両方が付与された文書を管理する機能を備え、文書サーバの制御部が、外部機器に返信する文書に課金の額が付与されている場合に、課金の額も同時に返信する機能を備え、さらに印刷装置の課金部が、文書サーバから返信された課金の額に相当する金額を課金するという構成を付加してもよい。
【００１９】
この発明の文書配送システムによれば、文書を印刷ユーザに提供した際の金額を文書サーバ内にあるときに予め定めておくので、特に金銭的付加価値の高い文書に対しても、妥当な額の課金を行うことができる。また、印刷した紙の枚数に応じた課金も行う場合には、文書の出力に係る経費も回収することがきる。
【００２０】
本発明の文書配送システムにおいて、印刷装置に、印刷した文書に関する情報を印刷完了文書情報として記憶する印刷完了文書記憶部を設けておけば、各地に設置された印刷装置から印刷完了文書情報を回収することで、文書の出力された傾向を分析することができる。
【００２１】
本発明の文書配送システムにおいて、印刷装置の制御部が、印刷した文書に関する情報を印刷完了文書情報として文書サーバに送信する機能を備え、文書サーバの制御部が、印刷完了文書情報を受信する機能を備えており、さらに文書サーバが、受信した印刷完了文書情報を記憶する印刷完了文書記憶部を備えるという構成を付加してもよい。
【００２２】
この発明の文書配送システムによれば、各地に設置された印刷装置から印刷が正常に行われたか否かということも含めた印刷完了文書情報を回収することで、文書の出力された傾向を分析することができる。また、印刷完了文書情報をネットワークを通じて文書サーバに回収するので、回収にかかる費用を節約できる。
【００２３】
本発明の文書配送システムのうち、印刷完了文書記憶部を備えたシステムにおいて、印刷完了文書情報に文書ＩＤが含まれていると、印刷完了文書情報の集計を行いやすく、文書の人気度などを容易に分析することができる。
【００２４】
また、印刷完了文書情報に印刷装置の識別情報が含まれていると、文書が出力された地理的な場所に関する分布を分析することができる。
【００２５】
さらに、印刷完了文書情報に日時の情報が含まれていると、文書が出力された時期や時刻に関する分布を分析することができる。
【００２６】
本発明の文書搬送システムのうち、文書サーバに印刷完了文書記憶部を備えたシステムにおいて、課金の額が文書ごとに定められており、文書サーバのデータベース部が、文書ＩＤと課金の額と文書の作成者情報が付与された文書を管理する機能を備え、文書サーバの制御部が、外部機器に返信する文書に課金の額が付与されている場合に、課金の額も同時に返信する機能を備え、印刷装置の課金部が、文書サーバから返信された課金の額に相当する金額を課金するという構成、および、印刷完了文書情報が印刷した文書の文書ＩＤを含んでおり、文書サーバの印刷完了文書記憶部が、印刷した文書の文書ＩＤから対応する作成者情報と課金の額を検索し、文書サーバの制御部が、課金の額の全部または一部を作成者情報に示された作成者に支払う機能を備えるという構成を付加してもよい。
【００２７】
この発明の文書配送システムによれば、文書サーバのデータベース部に課金の額と文書の作成者情報とが付与された文書が記憶されているので、印刷ユーザが文書を購入した後、文書の作成者に、文書が出力された数に応じた報酬を自動的に支払うことができる。
【００２８】
この発明の文書配送システムにおいて、印刷装置の課金部が、文書サーバから返信された課金の額に相当する金額と、印刷した紙の枚数に応じた金額の合計を課金するようにすれば、文書の作成者に、出力された文書の印刷枚数をも含めた課金に応じた報酬を自動的に支払うことができる。
【００２９】
本発明の文書登録システムは、前記した文書配送システムに用いられる文書サーバであって、外部機器より文書を受信すると、新規に文書ＩＤを発行し、文書に文書ＩＤを付与したものをデータベース部に登録すると同時に、文書ＩＤが付与された文書の要約情報を送信してきた外部機器に返信する登録部を備えている文書サーバと、前記文書サーバとネットワーク接続する接続部、登録ユーザから文書そのもの、もしくは文書の所在の入力（ＵＲＬなど）を受け取る入力部、および、登録ユーザが指定した文書を文書サーバに送信し、文書サーバより返信された、文書ＩＤが付与された文書の要約情報を受信する制御部を備えている文書登録装置とを有することによって特徴づけられる。
【００３０】
この発明の文書登録システムによれば、文書登録装置により登録ユーザは文書サーバに文書を簡単に登録することができ、文書サーバから返信された文書（文書ＩＤが付与された文書）の要約情報を得ることができる。そして、登録ユーザは文書サーバから得た要約情報を文書注文用の内容として第三者に配布することで、配布を受けた第三者は印刷ユーザとして、前記した文書配送システムを用いて、その文書を簡単に紙に出力することができる。
【００３１】
本発明の文書登録システムにおいて、文書登録装置の入力部が、登録ユーザから課金の額と文書の作成者情報との入力を受け取る機能を備え、文書サーバのデータベース部が、文書ＩＤと課金の額と文書の作成者情報とが付与された文書を管理する機能を備え、さらに文書サーバの登録部が、文書ＩＤを付与した文書をデータベースに登録する際に、課金の額と文書の作成者情報とを合わせて登録する機能を備えるという構成を付加してもよい。
【００３２】
この発明の文書登録システムによれば、文書登録装置で文書の課金額を入力し、文書サーバで文書登録装置から送信された課金の額と作成者情報とを登録しておくので、文書の登録ユーザが、文書が出力された際の課金額を自由に設定することができる。例えば報酬を見越した課金額を設定することが可能になる。
【００３３】
本発明の文書登録システムにおいて、文書ＩＤが付与された文書の要約情報が、文書の先頭数ページの縮小画像情報と、文書ＩＤを画像データに変換したものとの合成画像データであると、要約情報を印刷ユーザの文書注文用の内容として配付した際に、印刷ユーザが文書を出力しなくても、要約情報に含まれる文書の先頭数ページの縮小画像を見るだけで、その文書の内容をおおよそ把握することができる。
【００３４】
また、文書ＩＤが付与された文書の要約情報が、文書の先頭数ページの縮小画像情報と、文書ＩＤを画像データに変換したものとを含む、Ｗｅｂクライアントにて閲覧可能なファイル群であると、要約情報を印刷ユーザの文書注文用の内容として配付した際に、印刷ユーザが文書を出力しなくても、要約情報に含まれる文書の先頭数ページの縮小画像を見るだけで、その文書の内容をおおよそ把握することができる。
【００３５】
さらに、文書ＩＤが付与された文書の要約情報が、文書の先頭数ページの縮小画像情報と、文書ＩＤを画像データに変換したものと、課金の額を画像データに変換したものとの合成画像であると、要約情報を印刷ユーザの文書注文用の内容として配付した際に、印刷ユーザが文書を出力しなくても、要約情報に含まれる文書の先頭数ページの縮小画像を見るだけで、その文書の内容をおおよそ把握できる。また、文書を出力する前に、予め課金される額を知ることができる。
【００３６】
さらに、文書ＩＤが付与された文書の要約情報が、文書データの先頭数ページの縮小画像情報と、文書ＩＤを画像データに変換したものと、課金の額を画像データに変換したものとを含む、Ｗｅｂクライアントにて閲覧可能なファイル群であると、要約情報を印刷ユーザの文書注文用の内容として配付した際に、印刷ユーザが文書を出力しなくても、要約情報に含まれる文書の先頭数ページの縮小画像を見るだけで、その文書の内容をおおよそ把握できる。また、文書を出力する前に、予め課金される額を知ることができる。
【００３７】
本発明の文書登録システムにおいて、文書登録装置に、文書ＩＤが付与された文書の要約情報を印刷する印刷部を設けるとともに、文書登録装置の制御部が、文書サーバから文書ＩＤが付与された文書の要約情報を受信すると、印刷部にその内容を印刷させるようにしてもよい。この場合、文書登録装置に文書を指定すると同時に、文書ＩＤが付与された文書の要約情報が紙として出力されるので、登録ユーザはすぐにその紙を持ち出すことができる。
【００３８】
本発明の文書配送登録システムは、前記した特徴を有する文書配送システムと文書登録システムとを有しているので、印刷ユーザは、印刷装置に画像データを入力して文書サーバに送信するだけで、目的の文書を簡単に出力することができる。また、登録ユーザは、文書サーバに文書を簡単に登録することができ、文書サーバから返信された文書ＩＤが付与された文書の要約情報を、文書注文用の内容として第三者（印刷ユーザ）に配布することができる。
【発明の効果】
【００３９】
以上説明したように、本発明の文書配送システムによれば、文書ＩＤが付与された文書を記憶するデータベース部、外部機器とネットワーク接続する接続部、および外部機器より受信した画像データの文書ＩＤに対応する文書をデータベース部から取得して外部機器に返信する制御部を備えた文書サーバと、文書ＩＤが付与された画像データを入力する画像入力部、入力画像データを文書サーバに送信する制御部、文書サーバより返信された文書を紙に出力する印刷部、および印刷時に印刷した文書に応じて課金を行う課金部を備えた印刷装置とを有しているので、印刷ユーザは、予め取得した文書ＩＤが付与された文書注文用の画像データの印刷出力物や画像ファイルを持ち歩き、印刷装置に画像データを入力して文書サーバに送信するだけで、目的の文書を簡単に取得することができる。また、印刷装置により印刷時に印刷ユーザに対して文書に応じた課金を行うので、システムの運用経費を回収することができる。
【００４０】
本発明の文書配送システムによれば、文書ＩＤが付与された文書を記憶するデータベース部、外部機器とネットワーク接続する接続部、および外部機器より受信した画像データの文書ＩＤに対応する文書をデータベース部から取得して外部機器に返信する制御部を備えた文書サーバと、その文書サーバとネットワーク接続する接続部、文書ＩＤが付与された画像データを入力する画像入力部、入力画像データから文書ＩＤを抽出して文書サーバに送信する制御部、文書サーバより返信された文書を紙に出力する印刷部、および印刷時に印刷した文書に応じて課金を行う課金部を備えた印刷装置とを有しているので、印刷ユーザは、予め取得した文書ＩＤが付与された文書注文用の画像データの印刷出力物や画像ファイルを持ち歩き、印刷装置に画像データを入力して文書サーバに送信するだけで、目的の文書を簡単に取得することができる。また、印刷装置により印刷時に印刷ユーザに対して文書に応じた課金を行うので、システムの運用経費を回収することができる。さらに、印刷装置から文書サーバへ送信するデータが文書ＩＤのみであるので、データ量を少なくすることができる。
【００４１】
本発明の文書登録システムによれば、外部機器より文書を受信すると、新規に文書ＩＤを発行し、文書に文書ＩＤを付与したものをデータベース部に登録すると同時に、文書ＩＤが付与された文書の要約情報を送信してきた外部機器に返信する登録部を備えた文書サーバと、その文書サーバとネットワーク接続する接続部、登録ユーザから文書そのもの（もしくは文書の所在の入力）を受け取る入力部、および登録ユーザが指定した文書を文書サーバに送信し、文書サーバより返信された文書の要約情報を受信する制御部を備えた文書登録装置とを有しているので、文書登録装置により登録ユーザは簡単に文書サーバに文書を登録することができ、文書サーバから返信された文書ＩＤが付与された文書の要約情報を得ることができる。さらに、登録ユーザは文書サーバから得た要約情報を文書注文用の内容として第三者に配布することで、配布を受けた第三者は印刷ユーザとして、前記した文書配送システムを用いて、その文書を簡単に紙に出力することができる。
【００４２】
本発明の文書配送登録システムによれば、前記した文書配送システムと文書登録システムとを有しているので、印刷ユーザは、印刷装置に画像データを入力して文書サーバに送信するだけで、目的の文書を簡単に出力することができる。また、登録ユーザは、文書サーバに文書を簡単に登録することができ、文書サーバから返信された文書ＩＤが付与された文書の要約情報を、文書注文用の内容として第三者（印刷ユーザ）に配布することができる。
【発明を実施するための最良の形態】
【００４３】
以下、本発明の実施形態を図面に基づいて説明する。
【００４４】
＜実施形態１＞
図１は本発明の文書配送システムの実施形態の構成を示すブロック図である。
【００４５】
図１の文書配送システムは、文書サーバ１０と印刷装置２０とがネットワークを経由して接続されている。
【００４６】
文書サーバ１０は、データベース部１１、接続部１２、および制御部１３を備えている。
【００４７】
データベース部１１には、印刷ユーザによって、印刷装置２０から注文を受けた際に、ネットワークを介して印刷装置２０に返信するための文書が、その文書ＩＤとともに記憶されている。
【００４８】
接続部１２は、外部機器（この例の場合は印刷装置２０）とネットワーク接続するためのもので、文書の注文を受けるときや、文書を返信するときのネットワークインタフェースとして用いられる。
【００４９】
制御部１３は、ＣＰＵで構成されており、印刷装置２０より文書注文用の画像データが送信されてくると、この画像データから文書ＩＤを抽出する。その文書ＩＤに対応する文書をデータベース部１１から取得し、取得した文書を印刷装置２０に返信する。
【００５０】
印刷装置２０は、接続部２１、スキャナ部２２、制御部２３、印刷部２４および課金部２５を備えている。
【００５１】
接続部２１は、文書サーバ１０とネットワーク接続するためのもので、文書の注文を行うときや、返信された文書を受信するときのネットワークインタフェースとして用いられる。
【００５２】
スキャナ部２２は、文書サーバ１０のデータベース部１１に記憶されている所定の文書を注文する際に、印刷ユーザの操作にて画像データを入力（スキャン）するための画像入力部である。
【００５３】
このスキャナ部２２にて入力する画像データは、文書サーバ１０のデータベース部１１に記憶されている所定文書に対して予め取得した注文用の画像データであって、その文書の文書ＩＤが付与された画像データである。具体的には、紙などの印刷出力物である。また、印刷出力物のほか、画像ファイルでもよい。
【００５４】
制御部２３は、ＣＰＵで構成されており、スキャナ部２２でスキャンした画像データを文書サーバ１０に送信する。
【００５５】
印刷部２４は、文書サーバ１０より返信された文書を紙に出力する。課金部２５は、印刷時に印刷した文書に応じて課金を行う。
【００５６】
以上の印刷装置２０は、例えばコンビニエンスストアに設置され、注文した文書が文書サーバ１０から返信されて印刷出力されるときに、提示された課金額を印刷装置２０に投入したり、店員に支払ったりするようになっている。
【００５７】
印刷ユーザがスキャンに用いる文書注文用の紙は、例えば文書の提供者などが予め印刷ユーザに配付したものであり、その文書の内容が一目で分かるような広告を兼ねた１枚の用紙などで実現される。
【００５８】
文書注文用の紙の一例を図７に示す。文書注文用の紙５０には文書の提供者などによって予め所定の印刷がなされており、タイトル５１や文書全体の要約など広告を兼ねた内容５２が存在する。さらに、バーコードなどで構成される文書ＩＤ５３が所定欄に印刷されている。
【００５９】
この実施形態において、印刷装置２０を、例えば全国のコンビニエンスストア等に設置しておけば、印刷ユーザは、予め取得した文書ＩＤが記述された文書注文用の紙５０を持ち歩き、印刷装置２０にてスキャンして文書サーバ１０にスキャンデータ（画像データ）を送信するだけで、目的の文書を簡単に取得することができる。そして、印刷装置２０により印刷時に印刷ユーザに対して文書に応じた課金を行うことで、システムの運用経費を回収することができる。
【００６０】
図１の文書配送システムで実行する文書配送処理を図９のフローチャートに従って説明する。
【００６１】
まず、Ｓ１０１において印刷ユーザが、文書ＩＤが付与された文書注文用の紙５０を印刷装置２０のスキャナ部２２でスキャンする。Ｓ１０２において制御部２３が、スキャンした画像データを文書サーバ１０に送信する。
【００６２】
Ｓ１０３で文書サーバ１０が画像データを受信すると、Ｓ１０４にて文書サーバ１０の制御部１３が画像データから文書ＩＤを抽出した後、Ｓ１０５で制御部１３がデータベース部１１から文書ＩＤに対応する文書を取得し、印刷装置２０に返信する。
【００６３】
Ｓ１０６で印刷装置２０が文書サーバ１０からの文書を受信すると、Ｓ１０７で課金部２５による代金提示により印刷ユーザ（利用者）から代金を回収する。
【００６４】
Ｓ１０８で印刷部２４により文書を印刷すると、Ｓ１０９において、印刷に成功したか否かが判断され、印刷に成功している場合、そのまま処理を終了する。一方、印刷に成功していない場合、Ｓ１１０で印刷ユーザに代金を返却して処理を終了する。
【００６５】
以上の実施形態では、印刷装置２０のスキャナ部２２で読み込んだ画像データを文書サーバ１０側に送信し、文書サーバ１０の制御部１３が文書ＩＤを抽出しているが、これに限られることなく、印刷装置２０の制御部２３がスキャンデータから文書ＩＤを抽出し、抽出した文書ＩＤを文書サーバ１０に送信して、文書サーバ１０の制御部１３が送信した文書ＩＤを基に、対応する文書をデータベース部１１から取得するようにしてもよい。
【００６６】
この場合の書配送処理を図１０のフローチャートに従って説明する。
【００６７】
Ｓ１０１で文書ＩＤの付与された紙をスキャンした後に、Ｓ２０１において印刷装置２０の制御部２３がスキャンにより得られた画像データから文書ＩＤを抽出する。次に、Ｓ２０２で制御部２３が文書ＩＤを文書サーバ１０に送信して、Ｓ２０３で文書サーバ１０が文書ＩＤを受信すると、Ｓ１０５に進む。Ｓ１０５以降の処理は図９と同一である。
【００６８】
図９および図１０のフローチャートにおいて、印刷装置２０の課金部２５が提示する課金の額は、例えば印刷した紙の枚数に比例した額とすれば、文書配送システムを利用する印刷ユーザに最も分かりやすい課金方法となるため、新規の印刷ユーザに受け入れられやすくなる。
【００６９】
また、図９および図１０のフローチャートにおいて、課金の額を、文書サーバ１０側で文書ごとに定め、印刷装置２０の課金部２５が文書サーバ１０から返信された課金の額に相当する金額を課金するようにしてもよい。
【００７０】
この場合、文書サーバ１０のデータベース部１１に、文書ＩＤと課金の額の両方が付与された文書を管理する機能を持たせ、文書サーバ１０の制御部１３に、印刷装置２０に返信する文書に課金の額が付与されている場合には、課金の額も同時に返信する機能を持たせる。
【００７１】
このようなシステムを採用すれば、文書を印刷ユーザに提供した際の金額を文書サーバ１０側で予め定めておくことができるので、特に金銭的付加価値の高い文書に対しても、妥当な額の課金を行うことができる。また、このシステムを印刷した紙の枚数に応じた課金方法と組み合わせると、文書の出力に係る経費も回収することができる。
【００７２】
この場合の文書配送処理を図１１のフローチャートに従って説明する。図１１においてＳ１０１〜Ｓ１０４の処理は図９と同一である。
【００７３】
Ｓ３０１において、文書サーバ１０のデータベース部１１に記憶されている文書に課金の額が付与されているか否かを判断し、文書に課金の額が付与されている場合、Ｓ３０３で制御部１３が文書ＩＤに対応する文書と課金の額とを印刷装置２０に送信する。次に、Ｓ３０４において印刷装置２０が文書と課金の額とを受信すると、Ｓ３０５で印刷ユーザ（利用者）から課金の額に相当する金額を回収してＳ１０８に進む。
【００７４】
一方、Ｓ３０１での判断で、文書に課金の額が付与されていない場合には、Ｓ１０５に進む。Ｓ１０５で文書ＩＤに対応する文書を印刷装置２０に送信し、Ｓ１０６で文書を受信すると、Ｓ３０２にて印刷ユーザ（利用者）から一定または出力枚数に応じた金額を回収した後、Ｓ１０８に進む。Ｓ１０８以降の処理は図９および図１０と同一である。
【００７５】
なお、課金額は、文書サーバ１０が印刷装置２０に送信するという方式のほかに、課金額を文書注文用の紙５０に予め情報として含めておき、印刷ユーザが文書注文用の紙５０をスキャンするときに課金額を読み取って、課金部２５を計算するという方式であっても構わない。
【００７６】
＜実施形態２＞
図２は本発明の文書配送システムの他の実施形態の構成を示すブロック図である。
【００７７】
図２の文書配送システムは、図１に示した実施形態の印刷装置２０に、印刷完了文書記憶部２６を付加した点に特徴がある。
【００７８】
印刷完了文書記憶部２６は、印刷した文書に関する情報、例えば文書のタイトルやジャンル、作成者、文書ＩＤ、印刷装置２０の識別情報、印刷日時といった情報としての印刷完了文書情報を記憶する。なお、印刷完了文書情報は、印刷が正常に完了したことを示す情報にもなる。
【００７９】
このように、印刷装置２０に印刷完了文書記憶部２６を備えていると、各地に設置された印刷装置２０から印刷完了文書情報を回収することで、文書の出力された傾向を分析することができる。
【００８０】
図２の文書配送システムにおいて、印刷完了文書情報に文書ＩＤが含まれていると、印刷完了文書情報の集計を行いやすく、文書の人気度などを容易に分析することができる。また、印刷完了文書情報に印刷装置２０の識別情報が含まれていると、文書が出力された地理的な場所に関する分布を分析することができる。さらに、印刷完了文書情報に日時の情報が含まれていると、文書が出力された時期や時刻に関する分布を分析することができる。
【００８１】
図２の文書配送システムで実行する文書配送処理を図１２のフローチャートに従って説明する。図１２においてＳ１０１〜Ｓ１０８の処理は図９および図１０と同一である。
【００８２】
Ｓ１０９での判断で印刷に成功していれば、Ｓ４０１で印刷完了文書記憶部２６に印刷完了文書情報を記憶させて処理を終了する。なお、印刷に成功していない場合、Ｓ１１０で印刷ユーザ（利用者）に代金を返却して処理を終了する。
【００８３】
図３は本発明の文書配送システムの別の実施形態の構成を示すブロック図である。
【００８４】
図３の文書配送システムは、図１に示した実施形態の文書サーバ１０に、印刷完了文書記憶部１４を付加した点に特徴がある。
【００８５】
この実施形態において、印刷装置２０の制御部２３は、印刷した文書に関する情報を印刷完了文書情報として文書サーバ１０に送信する機能を備え、文書サーバ１０の制御部１３は、印刷完了文書情報を受信する機能を備えている。
【００８６】
文書サーバ１０の印刷完了文書記憶部１４は、制御部１３が受信した印刷完了文書情報を記憶する。なお、印刷完了文書情報は前述したものと同様である。
【００８７】
この実施形態によれば、各地に設置された印刷装置２０から印刷が正常に行われたか否かということも含めた印刷完了文書情報を回収することで、文書の出力された傾向を分析することができる。また、印刷完了文書情報をネットワークを通じて文書サーバ１０に回収するため、回収にかかる費用を節約できる。
【００８８】
図３の文書配送システムで実行する文書配送処理を図１３のフローチャートに従って説明する。図１３においてＳ１０１〜Ｓ１０８の処理は図１２と同一である。
【００８９】
Ｓ１０９での判断で印刷に成功していれば、Ｓ５０１で印刷装置２０が印刷完了文書情報を文書サーバ１０へ送信し、Ｓ５０２で文書サーバ１０が受信した印刷完了文書情報を印刷完了文書記憶部１４に記憶させて処理を終了する。なお、印刷に成功していない場合、Ｓ１１０で印刷ユーザ（利用者）に代金を返却して処理を終了する。
【００９０】
なお、図２の印刷装置２０の印刷完了文書記憶部２６と、図３の文書サーバ１０の印刷完了文書記憶部１４とは同時に存在していてもよく、印刷完了文書記憶部２６に一定以上の印刷完了文書情報が蓄積した時点で、あるいは一定期間ごとに、印刷装置２０から文書サーバ１０へ送信して印刷完了文書記憶部１４に記憶させるようにしてもよい。
【００９１】
次に、図３の文書配送システムにおいて、印刷ユーザによる文書購入の後に、文書の作成者に報酬を自動的に支払うようにしたシステムを図４に示す。
【００９２】
図４の文書配送システムにおいて、課金の額は、文書サーバ１０のデータベース部１１に記憶される時点で文書ごとに定められている。
【００９３】
データベース部１１は、文書ＩＤと課金の額と文書の作成者情報とが付与された文書を管理する機能を備えている。文書サーバ１０の制御部１３は、印刷装置２０に返信する文書に課金の額が付与されている場合には、課金の額も同時に返信する機能を備えている。
【００９４】
印刷装置２０の課金部２５は、文書サーバ１０から返信された文書について印刷した紙の枚数に応じた課金を行うとともに、返信された文書に課金の額が付与されている場合には、その金額を課金するか、あるいは紙の枚数に応じた金額と文書に付与された課金の額との合計を課金する。
【００９５】
印刷装置２０から送信されてくる印刷完了文書情報は、印刷した文書の文書ＩＤを含んでおり、文書サーバ１０の印刷完了文書記憶部１４は、印刷した文書の文書ＩＤから、対応する作成者情報と課金の額とを検索する。
【００９６】
課金部２５が印刷した紙の枚数に応じた課金を行う場合には、その課金分や紙の枚数情報なども印刷完了情報に含めて、文書サーバ１０に送信することができる。この課金情報を文書サーバ１０に戻すか否かは任意である。
【００９７】
文書サーバ１０の制御部１３は、検索結果に基づいて、課金の額の全部または一部を作成者情報に示された作成者の口座４０に振り込む指示を出力する。
【００９８】
このように、図４の文書配送システムでは、文書サーバ１０のデータベース部１１に課金の額と文書の作成者情報とが付与された文書が記憶されているので、印刷ユーザが文書を購入した後、文書の作成者に、文書が出力された数に応じた報酬を自動的に支払うことができる。
【００９９】
図４の文書配送システムにおいて、印刷装置２０の課金部２５が、文書サーバ１０から返信された課金の額に相当する金額と、印刷した紙の枚数に応じた金額の合計を課金する場合には、印刷装置２０側での回収を行うことができる他、文書の作成者に、出力された文書の印刷枚数をも含めた課金に応じた報酬を自動的に支払うことができる。
【０１００】
図４の文書配送システムで実行する文書配送処理を図１４のフローチャートに従って説明する。図１４においてＳ１０１〜Ｓ１０８およびＳ３０１〜Ｓ３０５の処理は図１１と同一である。
【０１０１】
Ｓ１０９での判断で印刷に成功していれば、Ｓ６０１で印刷装置２０が文書ＩＤを含む印刷完了文書情報を文書サーバ１０に送信する。次に、Ｓ６０２で文書サーバ１０の印刷完了文書記憶部１４が、受信した文書ＩＤから作成者情報と課金額とを検索し、Ｓ６０３において、文書サーバ１０の制御部１３が文書の作成者に課金額に応じた金額を支払う指示を出力して処理を終了する。なお、印刷に成功していない場合、Ｓ１１０で印刷ユーザ（利用者）に代金を返却して処理を終了する。
【０１０２】
＜実施の形態３＞
図５は本発明の文書登録システムの実施形態の構成を示すブロック図である。
【０１０３】
図５の文書登録システムは、文書サーバ１０と文書登録装置３０とがネットワークを経由して接続されている。
【０１０４】
文書サーバ１０は、実施形態１および２に記載の文書配送システムに用いられる文書サーバであって、図１と同様の接続部１２、データベース部１１、それに登録部１５を備えている。
【０１０５】
登録部１５は、新規に文書ＩＤを発行し、文書に文書ＩＤを付与したものをデータベース部１１に登録すると同時に、文書ＩＤが付与された文書の要約情報を文書を送信してきた文書登録装置３０に返信する。なお、登録部１５は、実施形態１および２の制御部１３が、これを兼ねていてもよいし、別に設けられていててもよい。
【０１０６】
文書登録装置３０は、接続部３１、入力部３２、および制御部３３を有している。
【０１０７】
接続部３１は、文書サーバ１０とネットワーク接続するネットワークインタフェースである。
【０１０８】
入力部３２は、文書登録装置３０を利用する登録ユーザから文書そのもの、もしくは文書の所在の入力（ＵＲＬなど）を受け取る。
【０１０９】
制御部３３は、登録ユーザが指定した文書を文書サーバ１０に送信し、文書サーバ１０より返信された、文書ＩＤが付与された文書の要約情報を受信する。
【０１１０】
この実施形態によれば、文書登録装置３０により登録ユーザは、文書サーバ１０に文書を簡単に登録することができ、文書サーバ１０から返信された文書ＩＤが付与された文書の要約情報を得ることができる。そして、登録ユーザは、文書サーバ１０から得た要約情報を文書注文用の内容として第三者に配布することにより、配布を受けた第三者は印刷ユーザとして、実施の形態１および２のいずれかに記載の文書配送システムを用いて、その文書を簡単に紙に出力することができる。
【０１１１】
図５の文書登録システムで実行する文書登録処理を図１５のフローチャートを用いて説明する。
【０１１２】
まず、Ｓ７０１において、文書登録装置３０により登録ユーザが指定した文書を文書サーバ１０に返信すると、Ｓ７０２で文書サーバ１０は新規に文書ＩＤを発行する。
【０１１３】
次に、Ｓ７０３で登録部１５が文書ＩＤ付き文書をデータベース部１１に登録する。Ｓ７０４で文書の要約情報を作成すると、Ｓ７０５にて文書の要約情報を文書登録装置３０に送信する。そして、Ｓ７０６で文書登録装置３０が文書の要約情報を受信して処理を終了する。
【０１１４】
ここで、以上の文書登録システムにおいて、図６に示すように、文書登録装置３０に印刷部３４を設けておいてもよい。
【０１１５】
この場合、図１６のフローチャートに示すように、Ｓ７０６において、文書登録装置３０の制御部３３が、文書サーバ１０から文書ＩＤが付与された文書の要約情報を受信するとＳ８０１に進み、Ｓ８０１で文書の要約情報を印刷して処理を終了する。なお、図１６においてＳ７０１〜Ｓ７０６の処理は図１５と同一である。
【０１１６】
このように、文書登録装置３０に印刷部３４を設けると、文書登録装置３０に文書を指定すると同時に、文書ＩＤが付与された文書の要約情報が紙として出力されるので、登録ユーザはすぐにその紙を持ち出すことができる。
【０１１７】
なお、図６の文書登録システムにおいて、文書登録装置３０の入力部３２が、登録ユーザから課金の額と文書の作成者情報との入力を受け取る機能を備え、文書サーバ１０のデータベース部１１が、文書ＩＤと課金の額と文書の作成者情報とが付与された文書を管理する機能を備え、さらに、文書サーバ１０の登録部１５が、文書ＩＤを付与した文書をデータベースに登録する際に、課金の額と文書の作成者情報とを合わせて登録する機能を備えていてもよい。
【０１１８】
このようにすると、文書登録装置３０にて文書の課金額を入力し、文書サーバ１０において、文書登録装置３０から送信された課金の額と作成者情報とを登録しておくことができるので、文書の登録ユーザが、文書が出力された際の課金額を自由に設定することができる。例えば報酬を見越した課金額を設定することが可能になる。
【０１１９】
ここで、文書ＩＤが付与された文書の要約情報とは、図７に示すように、文書の先頭数ページの縮小画像情報と、文書ＩＤを画像データに変換したものとの合成画像データである。
【０１２０】
このような要約情報を印刷ユーザの文書注文用の内容として配付した際に、印刷ユーザが文書を出力しなくても要約情報に含まれる文書の先頭数ページの縮小画像を見るだけで、その文書の内容を、おおよそ把握することができる。
【０１２１】
また、要約情報は、文書の先頭数ページの縮小画像情報と、文書ＩＤを画像データに変換したものとを含む、Ｗｅｂクライアントにて閲覧可能なファイル群であってもよい。さらに、図８に示すように、要約情報は、文書の先頭数ページの縮小画像情報と、文書ＩＤを画像データに変換したものと、課金の額５４を画像データに変換したものとの合成画像であってもよい。
【０１２２】
これらの形態を採用することにより、要約情報を印刷ユーザの文書注文用の内容として配付した際に、前記した効果に加えて、文書を出力する前に、予め課金される額を知ることができる。
【０１２３】
なお、この場合においても、要約情報は、文書データの先頭数ページの縮小画像情報と、文書ＩＤを画像データに変換したものと、課金の額を画像データに変換したものとを含む、Ｗｅｂクライアントにて閲覧可能なフアイル群であってもよい。
【図面の簡単な説明】
【０１２４】
【図１】本発明の文書配送システムの実施形態の構成を示すブロック図である。
【図２】本発明の文書配送システムの他の実施形態の構成を示すブロック図である。
【図３】本発明の文書配送システムの別の実施形態の構成を示すブロック図である。
【図４】本発明の文書配送システムの更に別の実施形態の構成を示すブロック図である。
【図５】本発明の文書登録システムの実施形態の構成を示すブロック図である。
【図６】本発明の文書登録システムの他の実施形態の構成を示すブロック図である。
【図７】文書ＩＤが付与された紙の例を示す図である。
【図８】文書ＩＤおよび課金の額が付与された紙の例を示す図である。
【図９】図１の文書配送システムで実行する文書配送処理の一例を示すフローチャートである。
【図１０】図１の文書配送システムで実行する文書配送処理の他の例を示すフローチャートである。
【図１１】図１の文書配送システムで実行する文書配送処理の別の例を示すフローチャートである。
【図１２】図２の文書配送システムで実行する文書配送処理の一例を示すフローチャートである。
【図１３】図３の文書配送システムで実行する文書配送処理の一例を示すフローチャートである。
【図１４】図４の文書配送システムで実行する文書配送処理の一例を示すフローチャートである。
【図１５】図５の文書登録システムで実行する文書登録処理の一例を示すフローチャートである。
【図１６】図６の文書登録システムで実行する文書登録処理の一例を示すフローチャートである。
【符号の説明】
【０１２５】
１０  文書サーバ
１１  データベース部
１２  接続部
１３  制御部
１４  印刷完了文書記憶部
１５  登録部
２０  印刷装置
２１  接続部
２２  スキャナ部（画像入力部）
２３  制御部
２４  印刷部
２５  課金部
２６  印刷完了文書記憶部
３０  文書登録装置
３１  接続部
３２  入力部
３３  制御部
３４  印刷部
４０  口座
５０  文書注文用の紙
５１  タイトル
５２  要約文書等の内容
５３  文書ＩＤ
５４  課金の額
【図１】
2005115967.tif 000003
【図２】
2005115967.tif 000004
【図３】
2005115967.tif 000005
【図４】
2005115967.tif 000006
【図５】
2005115967.tif 000007
【図６】
2005115967.tif 000008
【図７】
2005115967.tif 000009
【図８】
2005115967.tif 000010
【図９】
2005115967.tif 000011
【図１０】
2005115967.tif 000012
【図１１】
2005115967.tif 000013
【図１２】
2005115967.tif 000014
【図１３】
2005115967.tif 000015
【図１４】
2005115967.tif 000016
【図１５】
2005115967.tif 000017
【図１６】
2005115967.tif 000018